(57)【要約】【課題】梱包箱の内部に収納される個々の樋支持具の傷付きを防止できるうえ、しかも、樋支持具の所定数を簡単且つ確実に確認できる樋支持具の梱包収束具を提供する。【解決手段】雨樋の前耳及び後耳を各々掛止する前耳掛止部Ｔ１１及び後耳掛止部Ｔ１２を備えた樋支持具本体Ｔ１と、この樋支持具本体Ｔ１を軒先等に固定するための取付杆Ｔ２とを備えてなる樋支持具Ｔを、梱包箱の内部に収束して収納するための梱包収束具Ａであって、シート状に形成された梱包シート体１を折曲して係止片部２及び挿入片部３を連設してなり、上記係止片部２を、複数並設された樋支持具Ｔの前耳掛止部Ｔ１１又は後耳掛止部Ｔ１２に係止させると共に、上記挿入片部２を、前耳掛止部Ｔ１１又は後耳掛止部Ｔ１２に隣設された凹所Ｔ１３に差し込んで係止させ、複数の樋支持具Ｔを収束可能にする。【選択図】図１
2006282250.tif 000002
【特許請求の範囲】
【請求項１】
雨樋の前耳及び後耳を各々掛止する前耳掛止部及び後耳掛止部を備えた樋支持具本体と、この樋支持具本体を軒先等に固定するための取付杆とを備えてなる樋支持具を、梱包箱の内部に収束して収納するための梱包収束具であって、
シート状に形成された梱包シート体を折曲して係止片部及び挿入片部を連設してなり、
上記係止片部を、複数並設された樋支持具の前耳掛止部又は後耳掛止部に係止させると共に、上記挿入片部を、前耳掛止部又は後耳掛止部に隣設された凹所に差し込んで係止させ、複数の樋支持具を収束可能にしたことを特徴とする樋支持具の梱包収束具。
【請求項２】
請求項１において、
挿入片部の端縁には、複数並設された樋支持具を外装する被覆片を更に延設したことを特徴とする樋支持具の梱包収束具。
【請求項３】
請求項１又は２の何れかにおいて、
係止片部の端縁が、鋸歯状に形成されたことを特徴とする樋支持具の梱包収束具。
【請求項４】
請求項１〜３の何れかにおいて、
梱包収束具は、梱包箱に反転して収納可能な形状に形成されていることを特徴とする樋支持具の梱包収束具。
【請求項５】
請求項１〜４の何れかにおいて、
梱包収束具は、焼却処理しても無害な可燃性材料で形成されていることを特徴とする樋支持具の梱包収束具。
【請求項６】
請求項１〜５の何れかにおいて、
梱包収束具に取手部を設けたことを特徴とする樋支持具の梱包収束具。
【発明の詳細な説明】
【技術分野】
【０００１】
本発明は、ダンボール箱などの梱包箱の内部に樋支持具を収束して収納するための梱包収束具に関する。
【背景技術】
【０００２】
一般に、樋支持具を目的地に輸送等する際には、例えば、ダンボール箱などの梱包箱の内部に、所定数の前記樋支持具をランダムに収納したうえで、前記梱包箱をテープなどで封止し、これらの梱包箱を箱積みして既存の輸送手段で輸送する。
【０００３】
そして、目的地に輸送された後には、上記テープを剥がして梱包箱を開放し、内部に収納された樋支持具を必要数だけ取り出して、作業現場等で使用するのである。
【０００４】
なお、樋支持具を束ねるようなものは、従来にはなかった。
【発明の開示】
【発明が解決しようとする課題】
【０００５】
しかしながら、樋支持具を目的地に輸送等する場合には以下の問題があった。
【０００６】
先ず、梱包箱の内部では、梱包箱の積込み、積降し作業時や、輸送中の振動等によって、樋支持具同士がぶつかり合って樋支持具を傷付けてしまう問題がある。
【０００７】
一方、上記問題は、樋支持具を個別に包装すれば解消できるが、数十個〜数百個単位で１つの梱包箱に収納される樋支持具を個別に包装すれば、包装作業に手間を要するうえ、コストが増すため、採用することはできない。
【０００８】
次に、梱包箱の積込み、積降し作業時や、輸送中の振動等などによって、内部に収納されている樋支持具が、前記梱包箱を突き破ってしまう恐れがあり、危険であるという問題がある。
【０００９】
そこで、上記梱包箱に収納される所定数の樋支持具を、小さなダンボール箱或いは小袋に小分けして一旦収納し、これら小箱、小袋を上記梱包箱に複数収納することで、いわば２重構造にしたうえで、輸送等を行うことも考えた。
【００１０】
しかし、このような２重構造では、梱包箱を突き破る恐れを解消できるものの、依然として上記の樋支持具を傷付けてしまう問題を解決することはできなかった。
【００１１】
更に、梱包箱の内部に収納されている樋支持具の有無、或いは、残数等を容易に確認できないという問題もある。
【００１２】
この問題は、輸送後の目的地、作業現場で樋支持具の所定数を確認する場合だけでなく、梱包箱の内部に樋支持具を収納するメーカー側でも同様に生じ得る。
【００１３】
すなわち、梱包箱の内部に収納される樋支持具の所定数は、一般に数十個〜数百個単位であり、このような大量な樋支持具の所定数を一々確認することは手間が多いうえ、数の間違いも生じ易く、非常に困難であった。
【００１４】
そのため、梱包箱内部に収納されている樋支持具の所定数を、簡単に確認できる手段が要望されている。
【００１５】
本発明は、これらの課題を一気に解決することを目的として新規に創作したもので、梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。
【課題を解決するための手段】
【００１６】
上記目的を達成するため、
請求項１に係る樋支持具の梱包収束具は、雨樋の前耳及び後耳を各々掛止する前耳掛止部及び後耳掛止部を備えた樋支持具本体と、この樋支持具本体を軒先等に固定するための取付杆とを備えてなる樋支持具を、梱包箱の内部に収束して収納するための梱包収束具であって、シート状に形成された梱包シート体を折曲して係止片部及び挿入片部を連設してなり、上記係止片部を、複数並設された樋支持具の前耳掛止部又は後耳掛止部に係止させると共に、上記挿入片部を、前耳掛止部又は後耳掛止部に隣設された凹所に差し込んで係止させ、複数の樋支持具を収束可能にしたことを特徴とする。
【００１７】
請求項２に係る樋支持具の梱包収束具は、請求項１において、挿入片部の端縁には、複数並設された樋支持具を外装する被覆片を更に延設したことを特徴とする。
【００１８】
請求項３に係る樋支持具の梱包収束具は、請求項１又は２の何れかにおいて、係止片部の端縁が、鋸歯状に形成されたことを特徴とする。
【００１９】
請求項４に係る樋支持具の梱包収束具は、請求項１〜３の何れかにおいて、梱包収束具は、梱包箱に反転して収納可能な形状に形成されていることを特徴とする。
【００２０】
請求項５に係る樋支持具の梱包収束具は、請求項１〜４の何れかにおいて、梱包収束具は、焼却処理しても無害な可燃性材料で形成されていることを特徴とする。
【００２１】
請求項６に係る樋支持具の梱包収束具は、請求項１〜５の何れかにおいて、梱包収束具に取手部を設けたことを特徴とする。
【発明の効果】
【００２２】
本発明によれば、次のような効果がある。
請求項１に係る樋支持具の梱包収束具によれば、樋支持具は、梱包シート体の係止片部を、前耳掛止部又は後耳掛止部に係止させると共に、挿入片部を、前耳掛止部又は後耳掛止部に隣設された凹所に差し込んで係止して整列されるため、梱包箱の積込み、積降し作業時や、輸送中の振動等によって、樋支持具同士がぶつかり合って傷付くことを防止できると共に、収納された樋支持具が梱包箱を突き破る危険も防止できる。
【００２３】
また、梱包シート体で梱包可能な樋支持具の数量が特定されるため、梱包箱内部に収納されている梱包収束具の数を数えるだけで、梱包箱内部に収納されている樋支持具の所定数を、簡単に計数できる。
【００２４】
更に、梱包シート体は、係止片部を前耳掛止部又は後耳掛止部に係止させると共に、挿入片部を前耳掛止部又は後耳掛止部に隣設された凹所に差し込んで係止されているだけなので、小型化できるうえ、樋支持具も外部から容易に目視でき、樋支持具の所定数を目視によって確実に確認できる。
【００２５】
請求項２に係る樋支持具の梱包収束具によれば、挿入片部の端縁には、複数並設された樋支持具を外装する被覆片を更に延設しているので、樋支持具同士がぶつかり合って樋支持具が傷付くことを確実に防止できる。
【００２６】
請求項３に係る樋支持具の梱包収束具によれば、係止部の端縁が鋸歯状に形成されているので、樋支持具の基端側又は先端側の係止する部位への差し込みを容易にできる。
【００２７】
請求項４に係る樋支持具の梱包収束具によれば、梱包収束具は、梱包箱に反転して収納可能な形状に形成しているので、梱包箱の内部に梱包収束具を密な状態で無駄なく収納でき、梱包箱の積込み、積降し作業時や、輸送中の振動等による梱包収束具のガタツキが防止できるうえ、梱包箱を小型化できる。
【００２８】
請求項５に係る樋支持具の梱包収束具によれば、梱包収束具は、焼却処理しても無害な可燃性材料で形成しているので、樋支持具を使用した後に不要となった上記梱包収束具を、作業現場等で安全に焼却処理できる。
【００２９】
請求項６に係る樋支持具の梱包収束具によれば、梱包収束具に取手部を設けているので、複数の樋支持具が収納された梱包収束具を簡単に持ち運ぶことができ、例えば、高所にある作業現場などに複数の樋支持具を簡単且つ安全に持ち運ぶことができる。
【発明を実施するための最良の形態】
【００３０】
以下、本発明に係る樋支持具の梱包収束具Ａを図面とともに説明する。
【実施例１】
【００３１】
図１は、本発明に係る樋支持具の梱包収束具Ａの一実施例を示す使用状態の概略斜視図、図２（ａ）〜（ｃ）は、図１で示した梱包収束具Ａの作用を示した概略動作図である。
【００３２】
この樋支持具Ｔの梱包収束具Ａ（以下、単に「梱包収束具Ａ」と略する。）は、雨樋の前耳及び後耳を各々掛止する前耳掛止部Ｔ１１及び後耳掛止部Ｔ１２を備えた樋支持具本体Ｔ１と、この樋支持具本体Ｔ１を軒先等に固定するための取付杆Ｔ２とを備えてなる樋支持具Ｔを、ダンボール箱等の梱包箱（不図示）の内部に収束して収納するためのものであって、シート状に形成された梱包シート体１を折曲して係止片部２及び挿入片部３を連設してなる。
【００３３】
また、図１、２で示した樋支持具Ｔは、雨樋の出具合をロック部Ｒのロック、アンロック操作によってスライド可能なロックスライド式の樋支持具Ｔを示したものであるが、例えば、固定式の樋支持具Ｔでも同様である。
【００３４】
梱包シート体１は、手指で折り曲げ可能な厚みの１枚のボール紙材などで形成され、この紙材を長手方向の全長に亘って折り曲げて、上方に突設された係止片部２及び挿入片部３が連設されて形成している。
【００３５】
また、梱包シート体１は、これを焼却処理しても無害な可燃性材料で形成するのが望ましく、具体的には、再生紙などの紙材を用いて形成すれば、使用後などの不要となった梱包収束具Ａを、作業現場等で焼却処理しても無害且つ安全に廃棄処理できる。
【００３６】
なお、ここでの梱包シート体１は、紙材で形成されたものを示したが、折り曲げ後の形状に保形された薄い樹脂シートでも可能である。
【００３７】
梱包シート体１の前端には、折り曲げて形成された係止片部２を形成し、この係止片部２は、樋支持具Ｔの先端側又は基端側に係止される。
【００３８】
ここで、先端側又は基端側とは、前耳掛止部Ｔ１１又は後耳掛止部Ｔ１２を含む周辺を意味するが、本実施例では、係止片部２が後耳掛止部Ｔ１２に係止される場合を例示しており、この後耳掛止部Ｔ１２に係止される構造にすれば、雨樋の後耳を掛止するのと同様に、梱包シート体１を確実に係止できる。
【００３９】
なお、係止片部２の端縁を鋸歯状に形成すれば、前耳掛止部Ｔ１１又は後耳掛止部Ｔ１２への差し込みを容易にできる。
【００４０】
一方、係止片部２に連設される梱包シート体１の後方には、後耳掛止部Ｔ１２に隣設された凹所Ｔ１３に差し込んで係止される挿入片部３を形成している。
【００４１】
ここでの挿入片部３は、後耳掛止部Ｔ１２と取付杆Ｔ２との間に設けられた凹所Ｔ１３に挿入して係止するものを例示している。
【００４２】
このように本発明の梱包収束具Ａは、以下の要領で極めて簡易に製造されて、使用される。
【００４３】
先ず、再生紙などの紙材を樋支持具Ｔの形状に合わせた型紙（不図示）に応じて周知の裁断機によって裁断して梱包シート体１を形成し、その先端を内側に山折りして係止片部２を形成し、係止片部２と同じ上方に向けて更に折り返して、係止片部２に連設した挿入片部３を形成する。なお、これら係止片部２及び挿入片部３の折り曲げ方向は、樋支持具Ｔの形状に応じて適宜変更される。
【００４４】
そして、複数並設された樋支持具Ｔ、Ｔの後耳掛止部Ｔ１２に、係止片部２を差し込んで係止すると共に、隣接された挿入片部３を凹所Ｔ１３に挿入して係止すれば、所定数の樋支持具Ｔを梱包収束具Ａで収束できる。〔図２（ａ）参照〕。
【００４５】
このように本発明の梱包収束具Ａによれば、係止片部２を後耳掛止部Ｔ１２に係止させると共に、挿入片部３を凹所Ｔ１３に差し込むだけのワンタッチ操作によって、複数の樋支持具Ｔ、Ｔを係止して整列できるため、梱包箱の積込み、積降し作業時や、輸送中などに樋支持具同士がぶつかり合って樋支持具が傷付くことを防止できる。
【００４６】
また、本実施例では、挿入片部３の端縁には、複数並設された樋支持具Ｔ、Ｔを外装する被覆片４を更に延設しており、この被覆片４を取付杆Ｔ２及び樋支持具本体Ｔ１に外装させれば、梱包箱の積込み、積降し作業時や、輸送中などに樋支持具Ｔ同士がぶつかり合って傷付くことを確実に防止できる〔図２（ｂ）、（ｃ）参照〕。
【００４７】
そして、これらの梱包収束具Ａを順次梱包箱（不図示）に収納すれば、この梱包収束具Ａの数を数えるだけで、梱包箱（不図示）の内部に所定数の樋支持具Ｔを簡単且つ確実に収納することができるのである。
【００４８】
また、樋支持具Ｔを収束した際の梱包収束具Ａを、例えば、側面視三角形に形成すれば、梱包箱内に梱包収納具Ａが上、下反転されて積段することで、梱包箱内に梱包収束具Ａを密な状態で無駄なく収納でき、梱包箱の積込み、積降し作業時や、輸送中などによる梱包収束具Ａのガタツキが防止できるうえ、梱包箱を小型化できる。
【００４９】
このように、本発明の梱包収束具Ａによれば、樋支持具Ｔは、同方向に整列して収束されるため、梱包箱の積込み、積降し作業時や、輸送中など樋支持具Ｔ同士がぶつかり合って樋支持具Ｔが傷付くことを防止できる。
【００５０】
また、梱包シート体１で梱包可能な樋支持具Ｔの数量が特定されるため、梱包箱内部に収納されている梱包収束具Ａを数えるだけで、収納された樋支持具Ｔの所定数を簡単且つ確実に計数できる。
【００５１】
また、梱包シート体１は、係止片部２を後耳掛止部Ｔ１２に係止させると共に、挿入片部３を凹所Ｔ１３に差し込んで係止されているだけなので、小型化されたワンタッチ装着ができるうえ、樋支持具Ｔも外部から容易に目視でき、樋支持具Ｔの所定数を目視によって確実に確認できる。
【００５２】
更に、挿入片部３の端縁に樋支持具Ｔを外装する被覆片４を更に延設すれば、樋支持具Ｔ同士がぶつかり合って樋支持具Ｔが傷付くことを確実に防止できる。
【００５３】
しかも、使用後の梱包収束具Ａは、これを焼却処理しても無害な可燃性材料で形成しているので、不要となった梱包収束具Ａを、作業現場等で焼却処理しても無害且つ安全に廃棄処理できる。
【実施例２】
【００５４】
図３は、本発明に係る樋支持具の梱包収束具Ａの他の実施例を示す使用状態の概略斜視図である。
【００５５】
なお、図１、２と共通する部位には、共通の番号を付し、その説明は省略している。
【００５６】
この梱包収束具Ａでは、これを持ち運び可能な取手部５を設けている。
【００５７】
ここで、取手部５は、梱包シート体１を保持できるものであれば良いが、本実施例では、梱包シート体１の幅方向に長い開口を形成したものを例示している。
【００５８】
このような取手部５を形成すれば、これを持って、例えば、高所にある作業現場などに梱包収束具Ａを簡単に持ち運ぶことができるので、複数の樋支持具Ｔを一度に簡単且つ安全に持ち運ぶことができる。
【産業上の利用可能性】
【００５９】
本発明は、梱包箱の内部に収納する樋支持具の梱包収束具として有効に利用することが可能である。
【図面の簡単な説明】
【００６０】
【図１】本発明に係る樋支持具の梱包収束具Ａの一実施例を示す使用状態の概略斜視図である。
【図２】（ａ）〜（ｃ）は、図１で示した梱包収束具Ａの作用を示した概略動作図である。
【図３】本発明に係る樋支持具の梱包収束具Ａの他の実施例を示す使用状態の概略斜視図である。
【符号の説明】
【００６１】
Ａ      梱包収束具
Ｔ      樋支持具
Ｔ１    樋支持具本体
Ｔ１１  前耳掛止部
Ｔ１２  後耳掛止部
Ｔ１３  凹所
Ｔ２    取付杆
１      梱包シート体
２      係止片部
３      挿入片部
４      被覆片
５      取手部
【図１】
2006282250.tif 000003
【図２】
2006282250.tif 000004
【図３】
2006282250.tif 000005